(57)【要約】【課題】粒状体が入れられる本体部と把持部との結合強度を得ることができると共に簡単な操作で粒状体の交換ができ、封止部材も不要にできるマラカス風の応援グッズを提供する。【解決手段】マラカス風の応援グッズ１は、合成樹脂で形成され粒状体４が入れられる円筒状の本体部３と、閉塞された先端部５ａが本体部３の後端部３ｂに挿入される合成樹脂製の把持部５とを有している。本体部３には内方に突出する一対の凸部８ａ、８ｂが形成されている。把持部５の先端部５ａには一対の縦溝９ａ、９ｂとこれに連通して周方向に延びる一対の横溝１１ａ、１１ｂが形成されている。一対の凸部８ａ、８ｂを一対の縦溝９ａ、９ｂに嵌合して先端部５ａを挿入した後、本体部３と把持部５の少なくとも一方を回転させると一対の凸部８ａ、８ｂが小壁１３を乗り越えて一対の横溝１１ａ、１１ｂに収容され、ロックされる。【選択図】  図２
2020086071.tif 000002
【特許請求の範囲】
【請求項１】
合成樹脂で形成され内部に複数の粒状体が入れられる筒状の本体部と、該本体部に着脱自在に結合される合成樹脂製の把持部とを有するマラカス風の応援グッズであって、
前記本体部の結合側は開口され、前記把持部の結合側は閉塞されて前記開口から前記本体部に挿入可能であり、前記本体部の結合側と前記把持部の結合側のうちいずれか一方には径方向に対向する一対の凸部が形成され、他方には前記一対の凸部を軸方向に案内する一対の縦溝と該縦溝に連通して周方向に延びる一対の横溝とが形成され、前記一対の凸部を前記一対の縦溝に案内した後、前記本体部と前記把持部のうち少なくとも一方を回転させたときに前記一対の凸部が前記一対の横溝でロックされるように構成されていることを特徴とする応援グッズ。
【請求項２】
請求項１に記載した応援グッズにおいて、
前記縦溝と前記横溝との境界部位に小壁が形成され、該小壁は、前記凸部が回転力で弾性変形して乗り越え且つ前記回転力以上の外力が作用しない状態では前記凸部を前記横溝に保持する大きさに設定されていることを特徴とする応援グッズ。
【請求項３】
請求項２に記載した応援グッズにおいて、
前記縦溝が前記軸方向と直交する平面内で前記凸部に向ってテーパ状に拡がる形状を有していることを特徴とする応援グッズ。
【請求項４】
請求項１から３のいずれかに記載した応援グッズにおいて、
前記一対の凸部が前記本体部の結合側の内面に設けられ、前記一対の縦溝と前記一対の横溝とが前記把持部の結合側の外面に設けられていることを特徴とする応援グッズ。
【請求項５】
請求項４に記載した応援グッズにおいて、
前記本体部と前記把持部とを結合した形状が、バット形状となることを特徴とする応援グッズ。
【請求項６】
請求項５に記載した応援グッズにおいて、
前記本体部の外面が印刷された表示部材で覆われていることを特徴とする応援グッズ。
【発明の詳細な説明】
【技術分野】
【０００１】
本発明は、バスケットボール、野球、サッカー等のスポーツ観戦等に用いられるマラカス風の応援グッズに関するものである。
【背景技術】
【０００２】
本来のマラカスは、ヤシ科のマラカの殻にビーズや小石などを入れて作られた中米発祥のリズム楽器であるが、そのリズミカルな音を身近で体感すべく、カラオケボックス等では合成樹脂製の簡易なものが場を盛り上げる応援グッズとして古くから使用されている。
この合成樹脂製の簡易なマラカス風の応援グッズは、スポーツ観戦時のいわゆる鳴り物グッズとしても用いることができる。１本のものを振って音を出したり、２本一組で互いに叩き合わせたりして音を出す使い方も可能である。
【０００３】
この種のマラカス風の応援グッズは、例えば特許文献１の図３に記載されているように、合成樹脂でブロー成形して断面が楕円形状の球状体を形成し、球状体の中に砂等の粒状物を入れた後開口部を封止部材で塞ぎ、同じく合成樹脂製の把持部を開口部の外面に螺合してネジ結合する構成となっている。
把持部及び封止部材を外して球状体内の粒状物を取り替えることにより発生する音を変えることができる。
【０００４】
しかしながら、球状体と把持部との連結をネジによる嵌合構成とした場合、強度が弱く、激しく振る使用形態上破損し易い。
この問題に対処すべく、特許文献２には、球状体と把持部とを一体成形し、把持部の後端部を開口してここから粒状物を入れるようにし、開口部分を封止部材で塞いだ後キャップ部材をネジ止めする構成が開示されている。
【先行技術文献】
【特許文献】
【０００５】
【特許文献１】実用新案登録第３００６３５８号公報
【特許文献２】実用新案登録第３０１２９５２号公報
【発明の概要】
【発明が解決しようとする課題】
【０００６】
しかしながら、特許文献２に記載の構成では球状体と把持部との間にネジ嵌合による連結構成が存在しないので強度は得られるものの、球状体内の粒状物を交換する場合、キャップ部材のネジ嵌合を外した後封止部材を外さなければならず、面倒さは特許文献１のものと変わりがない。
また、特許文献１、２に記載の構成は共に、粒状物の把持部側への流入を防止するために発泡スチロール等の封止部材を必要とするので、その分部品点数、組立工程数が嵩み、製造コストの増加を来すことになる。
【０００７】
本発明はこのような現状に鑑みて創案されたもので、粒状体が入れられる本体部と把持部との結合強度を得ることができると共に簡単な操作で粒状体の交換ができ、封止部材も不要にできるマラカス風の応援グッズの提供を、その目的とする。
【課題を解決するための手段】
【０００８】
本発明は、上記目的を達成するために為されたものであり、請求項１の発明は、合成樹脂で形成され内部に複数の粒状体が入れられる筒状の本体部と、該本体部に着脱自在に結合される合成樹脂製の把持部とを有するマラカス風の応援グッズであって、前記本体部の結合側は開口され、前記把持部の結合側は閉塞されて前記開口から前記本体部に挿入可能であり、前記本体部の結合側と前記把持部の結合側のうちいずれか一方には径方向に対向する一対の凸部が形成され、他方には前記一対の凸部を軸方向に案内する一対の縦溝と該縦溝に連通して周方向に延びる一対の横溝とが形成され、前記一対の凸部を前記一対の縦溝に案内した後、前記本体部と前記把持部のうち少なくとも一方を回転させたときに前記一対の凸部が前記一対の横溝でロックされるように構成されていることを特徴とする応援グッズである。
【０００９】
請求項２の発明は、請求項１に記載した応援グッズにおいて、前記縦溝と前記横溝との境界部位に小壁が形成され、該小壁は、前記凸部が回転力で弾性変形して乗り越え且つ前記回転力以上の外力が作用しない状態では前記凸部を前記横溝に保持する大きさに設定されていることを特徴とする応援グッズである。
【００１０】
請求項３の発明は、請求項２に記載した応援グッズにおいて、前記縦溝が前記軸方向と直交する平面内で前記凸部に向ってテーパ状に拡がる形状を有していることを特徴とする応援グッズである。
【００１１】
請求項４の発明は、請求項１から３のいずれかに記載した応援グッズにおいて、前記一対の凸部が前記本体部の結合側の内面に設けられ、前記一対の縦溝と前記一対の横溝とが前記把持部の結合側の外面に設けられていることを特徴とする応援グッズである。
【００１２】
請求項５の発明は、請求項４に記載した応援グッズにおいて、前記本体部と前記把持部とを結合した形状が、バット形状となることを特徴とする応援グッズである。
【００１３】
請求項６の発明は、請求項５に記載した応援グッズにおいて、前記本体部の外面が印刷された表示部材で覆われていることを特徴とする応援グッズである。
【発明の効果】
【００１４】
本発明によれば、粒状体が入れられる本体部と把持部との結合強度を得ることができると共に簡単な操作で粒状体の交換ができ、封止部材も不要にできるマラカス風の応援グッズを提供することができる。
【図面の簡単な説明】
【００１５】
【図１】本発明の実施の形態に係る応援グッズの斜視図である。
【図２】図１で示した応援グッズの本体部と把持部の結合部分の分解斜視図である。
【図３】図２のＸ１−Ｘ１線での本体部の断面図である。
【図４】図２のＸ２−Ｘ２線での把持部の断面図である。
【図５】図２のＸ３−Ｘ３線での把持部のロック前の断面図である。
【図６】図１で示した応援グッズの本体部と把持部の結合動作を示す断面図で、（ａ）はロックの進行状態を示す図、（ｂ）はロック完了状態を示す図である。
【発明を実施するための形態】
【００１６】
以下、本発明の実施の形態に係るマラカス風の応援グッズを図面にしたがって説明する。
【００１７】
図１に示すように、マラカス風の応援グッズ１は、合成樹脂で形成された円筒状（筒状）の本体部３と、該本体部３に着脱自在に結合される合成樹脂製の把持部５と、本体部３の外面を覆う表示部材７とを有している。
表示部材７は、応援するチーム等の名称や愛称、イニシャル、キャラクター等が印刷されたフィルムをヒートシールにより両端開口の円筒状に形成されており、本体部３の先端部３ａ側から装着される。
【００１８】
本体部３は、閉塞された先端部３ａを有する円筒状に形成されており、結合側である後端部３ｂは開口されている。本体部３の内部には、種子やビーズ、砂等の粒状体４（図２参照）が適宜の量入れられている。
図１に示すように、把持部５は、本体部３の後端部３ｂに挿入される結合側としての先端部５ａと、小径のストレート部としての握り部５ｂと、先端部５ａと握り部５ｂとを連結する円錐状部５ｃと、握り部５ｂの後端に形成された抜け止め部５ｄとを有している。
本体部３と把持部５とを結合した全体形状は、野球のバットを模した形状を有している。
【００１９】
図２に示すように、本体部３の後端部３ｂには、径方向に対向して内方に突出する一対の凸部８ａ、８ｂが形成されている。一対の凸部８ａ、８ｂは、図３に示すように、後端部３ｂの外面を内側へ凹ませて形成されている。
後端部３ｂの外面を変化させずに内面のみに凸部を形成してもよいが、外面を凹ませて一対の凸部８ａ、８ｂを形成することにより、把持部５との結合位置を外側から目視する目印となるので結合操作が容易となる利点がある。
【００２０】
図２に示すように、把持部５の先端部５ａの外面には一対の縦溝９ａ、９ｂが形成されており、該縦溝９ａ、９ｂは径方向で対向するように形成されている。また、一対の縦溝９ａ、９ｂに連通して周方向（把持部５の軸回り方向）に延びる一対の横溝１１ａ、１１ｂも、径方向で対向するように形成されている。
本体部３の一対の凸部８ａ、８ｂを把持部５の一対の縦溝９ａ、９ｂに臨ませた状態で把持部５の先端部５ａを本体部３の後端部３ｂ内に挿入すると、一対の凸部８ａ、８ｂは一対の縦溝９ａ、９ｂでガイドされて軸方向に移動し、一対の縦溝９ａ、９ｂの底面９ｃに突き当たる。
その状態で本体部３を矢印Ｒ１方向に、又は把持部５を反対の矢印Ｒ２方向に、あるいは本体部３と把持部５とをそれぞれの向きに同時に回すと、一対の凸部８ａ、８ｂが一対の横溝１１ａ、１１ｂに嵌合し、ロックされる。
図２において、符号５ｅは本体部３の後端面が突き当たる段差面を、５ｆは表示部材７の後端面が突き当たる段差面を示している。図１に示すように、本体部３の先端部３ａには表示部材７の先端面が突き当たる段差面３ｃが形成されている。
【００２１】
図４に示すように、一対の縦溝９ａ、９ｂは、一対の凸部８ａ、８ｂとの位置合わせ操作を容易にするために、軸方向と直交する平面内でそれぞれ凸部８ａ、８ｂに向ってテーパ状に拡がる形状を有している。
【００２２】
図５は、一対の凸部８ａ、８ｂを一対の縦溝９ａ、９ｂに嵌合して本体部３の後端部３ｂに把持部５の先端部５ａを挿入し、一対の凸部８ａ、８ｂを一対の縦溝９ａ、９ｂの底面９ｃに突き当てた状態を示している。
一対の縦溝９ａ、９ｂと一対の横溝１１ａ、１１ｂとの境界部位には、軸方向に延びる小壁１３が形成されている。小壁１３の高さは、一対の凸部８ａ、８ｂが回転力で弾性変形して小壁１３を乗り越え、且つ、該回転力以上の外力が作用しない状態では一対の凸部８ａ、８ｂを一対の横溝１１ａ、１１ｂに保持する大きさに設定されている。
【００２３】
図５に示す状態で、本体部３と把持部５のうち少なくとも一方を回転させると、図６（ａ）に示すように、一対の凸部８ａ、８ｂが弾性変形して小壁１３を乗り越え、最終的に図６（ｂ）に示すように、一対の凸部８ａ、８ｂは一対の横溝１１ａ、１１ｂに密接状態に収容される。
一対の横溝１１ａ、１１ｂは一対の凸部８ａ、８ｂの転写形状としてのボックス形状を有しているため、ここに収容された一対の凸部８ａ、８ｂは軸方向及び周方向の動きを阻止されてロックされる。
【００２４】
図５に示すように、一対の凸部８ａ、８ｂを一対の縦溝９ａ、９ｂに嵌合した後のロックのための回転角度は３０度程度と僅かであり、数回の回転操作を必要とする従来のネジ結合構成に比べて、本体部３と把持部５の連結、解除操作が極めて簡単で迅速にできる。すなわち、製造段階における組立が容易であるとともに、使用段階における粒状体４の交換作業が極めて簡単で迅速となる。
把持部５の先端部５ａは閉塞されているので、従来のように封止部材を設ける必要もない。
【００２５】
従来のネジ結合構成では、ネジ山を部材の厚み内で形成する必要があり、ネジを支持する部分の厚みが薄くなって結合部分の強度が必然的に低下することを避けられないが、本実施の形態の如く凹凸の嵌合によるロック構成とすれば、薄肉による強度低下の心配はなく、結合、解除の操作も簡単となる。
本体部３及び把持部５は共に、例えば合成樹脂による金型を用いたブロー成形により形成することができる。
【００２６】
応援グッズ１の使い方は、１本を振って使用するものでもよく、２本を叩き合わせて使用するものでもよい。
【００２７】
粒状体４を交換する場合には、本体部３を下側に向けた状態で把持部５を外すようにすれば、把持部５を外した際に粒状体４が落下することはない。
表示部材７は本体部３と把持部５の結合部分の外面を覆うので、本体部３と把持部５とのロック状態を解除する外力の作用を阻止する機能も担っている。
【００２８】
以上、本発明の実施の形態について詳述してきたが、具体的構成は、この実施の形態に限られるものではなく、本発明の要旨を逸脱しない範囲における設計の変更などがあっても発明に含まれる。
例えば、上記の実施の形態では一対の凸部８ａ、８ｂを本体部３側に、一対の縦溝９ａ、９ｂと一対の横溝１１ａ、１１ｂを把持部５側に設ける構成としたが、逆態様でもよい。すなわち、一対の凸部８ａ、８ｂを把持部５の先端部５ａの外面に設け、一対の縦溝９ａ、９ｂ及び一対の横溝１１ａ、１１ｂを本体部３の後端部３ｂの内方に設ける構成としてもよい。
また、表示部材７は本体部３の外面に嵌挿する構成としたが、本体部３の外面に密着させるシュリンク包装としてもよい。
また、上記実施の形態ではバット形状としたが、本体部３の形状を断面が楕円状とするなど如何なる形状としてもよい。また、把持部５も把持部としての機能を損なわない限り如何なる形状としてもよい。
【符号の説明】
【００２９】
１…応援グッズ  ３…本体部  ４…粒状体      ５…把持部  ８ａ、８ｂ…一対の凸部
９ａ、９ｂ…一対の縦溝    １１ａ、１１ｂ…一対の横溝  １３…小壁
【図１】
2020086071.tif 000003
【図２】
2020086071.tif 000004
【図３】
2020086071.tif 000005
【図４】
2020086071.tif 000006
【図５】
2020086071.tif 000007
【図６】
2020086071.tif 000008